(57)【特許請求の範囲】
【請求項１】
循環ポンプの駆動により追い焚き循環通路を介して供給された浴槽水を加熱して浴槽水の追い焚きを行う追い焚き熱源器と、上記循環ポンプの駆動による追い焚き循環通路内の循環水流を検出する循環水流検出手段と、給水通路を介し供給された水を加熱して湯を作り出す給湯熱源器と、該給湯熱源器により加熱された湯水を上記追い焚き循環通路を通して浴槽に落とし込むための湯張り通路とが設けられており、上記循環ポンプを駆動して上記循環水流検出手段によって追い焚き循環通路内の循環水流の有無を判断してから給湯熱源器により作られた湯を上記湯張り通路を通して浴槽に落とし込む湯張り機能と、上記循環ポンプの停止中に予め定められた凍結防止機能作動条件を満たしたときに循環ポンプを駆動させて追い焚き循環通路内の水を流動させ追い焚き循環通路内の水の凍結を防止する凍結防止機能とを備えた風呂装置において、予め定められた追い焚き循環通路内の水有り条件を満たしたことを検知したときに追い焚き循環通路内の湯水が有ることを示す水有りフラグを立てる水有り判断部と；循環ポンプの停止中に上記凍結防止機能作動条件を満たしたときには上記水有りフラグが立っているときのみ循環ポンプを駆動する循環ポンプ凍結防止駆動制御部と；上記水有りフラグが立っていることを確認して上記循環ポンプ凍結防止駆動制御部により循環ポンプの駆動が開始されたのにも拘らず、循環ポンプの駆動による追い焚き循環通路内の循環水流を上記循環水流検出手段により検出することができなかったときには上記水有りフラグを倒す水無し判断部と；を有し、前記水有り判断部は、給湯熱源器により加熱された湯又は給湯熱源器により加熱されていない水が給湯熱源器から湯張り通路に予め定めた追い焚き循環通路湯水充填量以上連続的に流れ出たときに水有り条件を満たしたと検知して追い焚き循環通路内に湯水が有ることを示す水有りフラグを立てることを特徴とした風呂装置。
【請求項２】
湯張り開始指令が発せられたときに水有りフラグが立っていないときには循環ポンプと循環水流検出手段を利用した追い焚き循環通路内の循環水流の有無の判断を行わずに、給湯熱源器により作られた湯を湯張り通路から浴槽に落とし込む湯張り制御部；が設けられていることを特徴した請求項１記載の風呂装置。
【発明の詳細な説明】
【０００１】
【発明の属する技術分野】
本発明は、浴槽水の追い焚きを行うことができる風呂装置に関するものである。
【０００２】
【従来の技術】
図２には給湯機能付き風呂装置の一例が示されている。この給湯機能付き風呂装置（器具）は、同図に示すように、給湯熱源器である給湯熱交換器１と追い焚き熱源器である追い焚き熱交換器２を有し、上記給湯熱交換器１の入側には水供給源から水を給湯熱交換器１に導くための給水通路３が接続され、給湯熱交換器１の出側には該給湯熱交換器１から流れ出た湯水を台所やシャワー等の給湯場所に導くための給湯通路４が接続されている。
【０００３】
上記追い焚き熱交換器２の一端側には往管５の一端側が接続され、往管５の他端側は循環金具２７を介して浴槽６に連通接続されている。また、追い焚き熱交換器２の他端側には通路７の一端側が接続され、この通路７の他端側は循環ポンプ８の吐出口に接続されている。循環ポンプ８の吸入口には戻り管１０の一端側が接続され、戻り管１０の他端側は上記循環金具２７を介して浴槽６に連通接続されている。上記往管５と追い焚き熱交換器２と通路７と循環ポンプ８と戻り管１０によって浴槽６の湯水を循環ポンプ８の駆動により循環させるための追い焚き循環通路１１が構成されている。
【０００４】
上記追い焚き循環通路１１の通路７と給湯通路４とを連通接続する注湯通路１２が設けられており、この注湯通路１２には該通路の開閉を行う電磁弁により形成された湯張り制御弁１３と、水圧により浴槽６の水位を検出する水位センサ１４とが介設されている。上記給湯熱交換器１から給湯通路４と注湯通路１２と追い焚き循環通路１１とを順に通って浴槽６に至るまでの通路によって湯張り通路が構成されている。
【０００５】
また、上記給湯熱交換器１を燃焼加熱する給湯バーナ１５と、追い焚き熱交換器２を燃焼加熱する追い焚きバーナ１６とが設けられており、上記各バーナ１５，１６には燃料ガス供給源に連通された通路（図示せず）から分岐されたガス供給通路１７，１８がそれぞれ接続されている。燃料ガス供給源から各バーナに至るまでの通路には弁開度でもってバーナへの供給燃料ガス量を可変制御する比例弁（図示せず）が介設されている。
【０００６】
なお、図２に示す２０は給水通路３の通水流量を検出する水量センサを示し、２１は給湯熱交換器１に流れ込む入水温度を検出する入水サーミスタを示し、２２は給湯熱交換器１から流れ出た湯水の温度を検出する出湯サーミスタを示し、２３は追い焚き循環通路１１を循環する浴槽湯水の温度を風呂の温度として検出する風呂温度センサを示し、２４は追い焚き循環通路１１の循環湯水流を検出する循環水流検出手段としての水流スイッチを示し、２８は配設位置の気温を外気温として検出する外気温センサを示している。
【０００７】
この給湯機能付き風呂装置には給湯運転や湯張り運転や追い焚き運転や凍結防止運転等の器具運転を制御する制御装置２５が設けられており、この制御装置２５にはリモコン２６が接続されている。上記リモコン２６には給湯（湯張り）温度を設定する給湯温度設定手段や、浴槽６の水位を設定する浴槽水位設定手段や、風呂の温度を設定する風呂温度設定手段等が設けられている。
【０００８】
上記制御装置２５は、水量センサ２０等の様々なセンサ出力の情報や、給湯設定温度等のリモコン２６の情報を取り込み、これら取り込んだ情報に基づき給湯運転や湯張り運転や追い焚き運転や凍結防止運転等を次のように制御する。例えば、台所やシャワー等の給湯場所に導かれた給湯通路４の給湯栓（図示せず）が開栓され、給水通路３の通水が水量センサ２０によって検出されると、給湯運転による給湯バーナ１５の燃焼を開始して、給湯される湯温がリモコン２６に設定されている給湯設定温度となるように給湯バーナ１５の加熱熱量を上記比例弁の弁開度を制御することで（つまり、給湯バーナ１５への供給燃料ガス量を制御することで）制御し、その給湯バーナ１５の燃焼火炎の熱によって給湯熱交換器１の通水を加熱して湯を作り出し該湯を給湯通路４を通して所望の給湯場所に給湯する。上記給湯栓が閉栓され、水量センサ２０が給水通路３の通水停止を検知すると、給湯バーナ１５の燃焼を停止して、次の給湯運転に備える。
【０００９】
また、湯張り運転を次のように制御する。例えば、リモコン２６に設けられている湯張り開始ボタン等が押されてリモコン２６から湯張り開始指令が発せられると、まず、循環ポンプ８を予め定められた時間（例えば、１分間）駆動して（図３に示すフローチャートのステップ１０１）、その循環ポンプ８の駆動による追い焚き循環通路１１の循環水流を水流スイッチ２４により検出したか否かを判断する（ステップ１０２）。循環水流を水流スイッチ２４により検出できなかったときには浴槽６に湯水がない、又は、浴槽６の水位が循環金具２７の配設位置よりも低いと判断し、湯張り制御弁１３を開弁して給湯熱交換器１により上記同様にして作られた湯を給湯通路４と注湯通路１２と追い焚き循環通路１１を順に通して浴槽６に注湯する。
【００１０】
注湯を開始してから水量センサ２０により検出された流量を積算することによって注湯開始時からの注湯量が求められ、この求められた注湯開始時からの注湯量が予め定めたｘリットル（例えば、４０リットル）に達したときに湯張り制御弁１３を閉弁して浴槽６への注湯を一旦停止する（ステップ１０３）。
【００１１】
そして、上記同様に、循環ポンプ８を駆動し（ステップ１０４）、水流スイッチ２４によって循環ポンプ８の駆動による追い焚き循環通路１１の循環水流の有無を判断し（ステップ１０５）、追い焚き循環通路１１の循環水流を水流スイッチ２４により検出できなかったと判断したときには、湯張り制御弁１３を開弁して上記同様に給湯熱交換器１により作られた湯を予め定めたｙリットル（例えば、１０リットル）を浴槽６に注湯する（ステップ１０６）。
【００１２】
さらに、上記同様に、循環ポンプ８を駆動し（ステップ１０７）、循環ポンプ８の駆動による追い焚き循環通路１１の循環水流の有無を水流スイッチ２４によって判断し（ステップ１０８）、循環水流を検出できなかったときには、給湯熱交換器１により作られた湯を予め定めたｚリットル（例えば、１５リットル）だけ浴槽６に注湯する（ステップ１０９）。
【００１３】
そして、再び、循環ポンプ８を駆動し（ステップ１１０）、循環ポンプ８の駆動による追い焚き循環通路１１の循環水流の有無を水流スイッチ２４によって判断する（ステップ１１１）。循環水流を検出できなかったときには、湯張り運転を開始してから循環金具２７の配設位置を越えるのに十分な注湯量を浴槽６に注湯したのにも拘らず、循環水流を検出できないのは異常であると判断し、エラー信号を出力する（ステップ１１６）。
【００１４】
上記循環ポンプ８の駆動による追い焚き循環通路１１の循環水流の有無判断（ステップ１０２，１０５，１０８，１１１）の結果、水流スイッチ２４によって循環水流を検出できたと判断したときには、浴槽６の水位が循環金具２７の配設位置よりも上側の水位であると判断し、水位センサ１４により浴槽水位を検出することが可能となったと判断して水位センサ１４により浴槽６の水位を検出する（ステップ１１２）。
【００１５】
そして、上記水位センサ１４により検出された浴槽水位をリモコン２６に予め設定されている浴槽設定水位に比較し、上記検出水位が浴槽設定水位に達しているか否かを判断し（ステップ１１３）、上記水位センサ１４の検出水位が設定水位未満であると判断したときには、湯張り制御弁１３を開弁して上記同様に浴槽６に注湯しながら、水位センサ１４により検出される浴槽水位を監視し（ステップ１１４）、検出した浴槽水位が浴槽設定水位に達したと判断したときに湯張り運転を終了する（ステップ１１５）。
【００１６】
追い焚き運転を行うときには、例えば、循環ポンプ８を駆動して浴槽水を追い焚き循環通路１１を通して循環させ風呂温度センサ２３により検出される風呂温度がリモコン２６に設定されている風呂設定温度よりも低いときには、追い焚き循環通路１１の循環水流が水流スイッチ２４により検出されていることを確認して追い焚きバーナ１６の燃焼を開始させ、追い焚き熱交換器２を流れる循環湯水を加熱して追い焚きを行い、風呂温度センサ２３により検出される風呂温度が上記風呂設定温度に達したときに追い焚きバーナ１６の燃焼を停止させ、循環ポンプ８を停止して追い焚き運転を終了する。
【００１７】
また、冬季に、追い焚き循環通路１１内の滞留水が凍結して追い焚き循環通路１１の管路が破損してしまうのを防止するために凍結防止運転が行われる。例えば、循環ポンプ８の停止中に風呂温度センサ２３により検出される温度（つまり、追い焚き循環通路１１の滞留水の温度）が予め定めた滞留水下限温度（例えば、４℃）以下に低下し、かつ、外気温センサ２８により検出される温度が予め定めた外気下限温度（例えば、２℃）以下に低下した状態であることが凍結防止運転を作動させるための凍結防止機能作動条件として予め与えられており、循環ポンプ８の停止中に風呂温度センサ２３により検出される温度と外気温センサ２８により検出される外気温とに基づき上記凍結防止機能作動条件が満たされたと判断したときに、凍結防止運転により循環ポンプ８を駆動させ追い焚き循環通路１１内の水を流動させて追い焚き循環通路１１内の水が凍結するのを防止する。
【００１８】
そして、上記循環ポンプ８の駆動により浴槽６内の湯水が追い焚き循環通路１１に引き込まれることで追い焚き循環通路１１内の湯水温度が上昇する等、風呂温度センサ２３により検出される温度が上記下限温度よりも高くなったとき、あるいは、外気温センサ２８により検出される温度が上記外気下限温度よりも高くなったときには追い焚き循環通路１１内の水の凍結が回避されたと判断して循環ポンプ８の駆動を停止し次の凍結防止運転による循環ポンプ８の駆動に備える。
【００１９】
【発明が解決しようとする課題】
ところで、上記凍結防止機能作動条件が満たされたときには追い焚き循環通路１１内に水が無く追い焚き循環通路１１内の水の凍結の心配がない状態であるときにも上記凍結防止運転による循環ポンプ８の駆動が行われてしまい、無駄な循環ポンプ８の空運転が行われていた。
【００２１】
この発明は、上記課題を解決するためになされたものであり、その目的は、追い焚き循環通路内に水が有ると判断された後に、凍結防止機能作動条件が満たされたときにのみ凍結防止運転による循環ポンプの駆動を行うように制御し、無駄な循環ポンプの空運転を回避することが可能な風呂装置を提供することにある。
【００２２】
【課題を解決するための手段】
上記目的を達成するために、この発明は次のような構成をもって前記課題を解決するための手段としている。すなわち、第１の発明は、循環ポンプの駆動により追い焚き循環通路を介して供給された浴槽水を加熱して浴槽水の追い焚きを行う追い焚き熱源器と、上記循環ポンプの駆動による追い焚き循環通路内の循環水流を検出する循環水流検出手段と、給水通路を介し供給された水を加熱して湯を作り出す給湯熱源器と、該給湯熱源器により加熱された湯水を上記追い焚き循環通路を通して浴槽に落とし込むための湯張り通路とが設けられており、上記循環ポンプを駆動して上記循環水流検出手段によって追い焚き循環通路内の循環水流の有無を判断してから給湯熱源器により作られた湯を上記湯張り通路を通して浴槽に落とし込む湯張り機能と、上記循環ポンプの停止中に予め定められた凍結防止機能作動条件を満たしたときに循環ポンプを駆動させて追い焚き循環通路内の水を流動させ追い焚き循環通路内の水の凍結を防止する凍結防止機能とを備えた風呂装置において、予め定められた追い焚き循環通路内の水有り条件を満たしたことを検知したときに追い焚き循環通路内の湯水が有ることを示す水有りフラグを立てる水有り判断部と；循環ポンプの停止中に上記凍結防止機能作動条件を満たしたときには上記水有りフラグが立っているときのみ循環ポンプを駆動する循環ポンプ凍結防止駆動制御部と；上記水有りフラグが立っていることを確認して上記循環ポンプ凍結防止駆動制御部により循環ポンプの駆動が開始されたのにも拘らず、循環ポンプの駆動による追い焚き循環通路内の循環水流を上記循環水流検出手段により検出することができなかったときには上記水有りフラグを倒す水無し判断部と；を有し、前記水有り判断部は、給湯熱源器により加熱された湯又は給湯熱源器により加熱されていない水が給湯熱源器から湯張り通路に予め定めた追い焚き循環通路湯水充填量以上連続的に流れ出たときに水有り条件を満たしたと検知して追い焚き循環通路内に湯水が有ることを示す水有りフラグを立てる構成をもって前記課題を解決する手段としている。
【００２３】
第２の発明は、上記第１の発明の構成を備えた上で、湯張り開始指令が発せられたときに水有りフラグが立っていないときには循環ポンプと循環水流検出手段を利用した追い焚き循環通路内の循環水流の有無の判断を行わずに、給湯熱源器により作られた湯を湯張り通路から浴槽に落とし込む湯張り制御部；が設けられていることを特徴としている。
【００２６】
上記構成の発明において、循環ポンプ凍結防止駆動制御部は、循環ポンプの停止中に凍結防止機能作動条件が満たされたときには、水有り判断部により立てられた水有りフラグがあるときにのみ、つまり、水有り判断部により追い焚き循環通路内に水が有ると判断された以降にのみ、凍結防止運転による循環ポンプを駆動する。上記循環ポンプ凍結防止駆動制御部の動作によって、追い焚き循環通路内に水が無く追い焚き循環通路内の水の凍結の虞がない場合には凍結防止運転による循環ポンプの駆動は行われず無駄な循環ポンプの空運転がほぼ回避される。
【００２７】
また、水有りフラグが立っていることを確認して上記循環ポンプ凍結防止駆動制御部により循環ポンプの駆動を開始したのにも拘らず、循環ポンプの駆動による追い焚き循環通路の循環水流を循環水流検出手段により検出できなかったときには、追い焚き循環通路内に水が無いと考えられることから水無し判断部により上記水有りフラグが倒されるので、それ以降に、凍結防止機能作動条件が満たされても、凍結防止運転による循環ポンプは駆動されず、無駄な循環ポンプの空運転が繰り返し行われることが確実に防止される。
【００２８】
【発明の実施の形態】
以下に、この発明に係る実施形態例を図面に基づき説明する。
【００２９】
この実施形態例の風呂装置は前記図２に示す給湯機能付き風呂装置のシステム構成を有し、図１にはこの実施形態例において特徴的な制御構成がブロック図により示されている。なお、図２に示す風呂装置のシステム構成の説明は前述したのでその重複説明は省略する。
【００３０】
この実施形態例に示す制御装置２５は、図１に示すように、前記したような湯張り運転を制御する湯張り制御部３０と、注湯量検出部３１と、水有り判断部３２と、前記したような追い焚き運転を制御する追い焚き制御部３３と、凍結防止運転制御部３４と水無し判断部３５と循環ポンプ凍結防止駆動制御部３６とデータ格納部３７とを有して構成されている。
【００３１】
注湯量検出部３１は湯張り制御部３０から注湯量検出開始指令が発せられたことを検知する度にその注湯量検出開始指令が発せられてから水量センサ２０により検出された通水流量を積算して上記注湯量検出開始指令が発せられた以降の給湯熱交換器１から湯張り通路に流れ出た注湯量を検出する。
【００３２】
水有り判断部３２は、湯張り制御部３０と追い焚き制御部３３の各動作情報と、注湯量検出部３１の検出注湯量情報と、水流スイッチ２４のセンサ出力とを時々刻々と取り込んで、これら取り込んだ情報に基づき、次に示す水有り条件を満たしていることを検知したときに水有り信号を出力して追い焚き循環通路１１内に湯水が有ることを示す水有りフラグをデータ格納部３７に立てる。
【００３３】
この実施形態例では、上記水有り条件として次の２つの条件が与えられている。第１の条件は、湯張り制御部３０の制御動作による湯張り制御弁１３の開弁中に、給湯熱交換器１により作られた湯が湯張り制御弁１３を通って追い焚き循環通路１１に予め定められた次に示す追い焚き循環通路湯水充填量（例えば、５リットル）以上連続的に流れ出たことである。上記追い焚き循環通路湯水充填量は、追い焚き循環通路１１の全領域を満たすのに必要な水量に余裕分を加えた水量であり、予め実験や演算等により求め与えられている。給湯熱交換器１から上記追い焚き循環通路湯水充填量以上連続的に追い焚き循環通路１１に流れ出ることによって、追い焚き循環通路１１内は湯水で満たされることになることから、追い焚き循環通路１１内に湯水が有ると判断することができる。
【００３４】
第２の条件は、追い焚き制御部３３により循環ポンプ８が駆動されてから予め定めた時間（例えば、１分間）を経過する前に、水流スイッチ２４により追い焚き循環通路１１内の循環水流を予め定めた時間（例えば、３０秒間）連続的に検出することができたことである。循環ポンプ８の駆動による追い焚き循環通路１１の循環水流を水流スイッチ２４により検出できたときには、浴槽６の水位が循環金具２７よりも上側であり循環ポンプ８の駆動により浴槽６の湯水は追い焚き循環通路１１内に引き込まれ追い焚き循環通路１１内は湯水で満たされた状態であることから、追い焚き循環通路１１内に湯水が有ると判断することができる。
【００３５】
水有り判断部３２は、上記水有り条件の第１の条件が満たされたときに、水有り信号を出力してデータ格納部３７の水有りフラグを立てる。
【００３６】
凍結防止運転制御部３４は湯張り制御部３０と追い焚き制御部３３の各動作情報と、風呂温度センサ２３と外気温センサ２８の各センサ出力とを時々刻々と取り込んで、前述したような凍結防止機能作動条件が満たされているか否かを判断する。つまり、風呂温度センサ２３により検出される温度が設定の滞留水下限温度（例えば、４℃）以下であり、かつ、外気温センサ２８により検出される外気温が設定の外気下限温度（例えば、２℃）以下であるか否かを判断する。
【００３７】
凍結防止運転制御部３４は、冬季で冷込みが厳しく上記凍結防止機能作動条件が満たされていると判断したときには、データ格納部３７に水有りフラグが立っているか否かを判断し、水有りフラグが立っていると判断したときには、追い焚き循環通路１１内に湯水が有り、その追い焚き循環通路１１内の滞留水温と外気温センサ２８により検出される外気温との両方の温度が追い焚き循環通路１１内の滞留水が凍結する虞がある温度に低下していると判断して、追い焚き循環通路１１内の滞留水の凍結を防止するために追い焚き循環通路１１内の水を流動させる必要があると判断し、循環ポンプ８を駆動させるためのポンプ駆動指令を循環ポンプ凍結防止駆動制御部３６に発する。
【００３８】
循環ポンプ凍結防止駆動制御部３６は、上記凍結防止運転制御部３４からポンプ駆動指令を受けると、循環ポンプ８の駆動を開始して追い焚き循環通路１１内の水を流動させる。
【００３９】
上記循環ポンプ８の駆動により追い焚き循環通路１１の水が流動するので、追い焚き循環通路１１の水の凍結は回避される。
【００４０】
凍結防止運転制御部３４は風呂温度センサ２３により検出される温度が前記滞留水下限温度よりも高くなったと判断したとき、あるいは、外気温センサ２８により検出される温度が前記外気下限温度よりも高くなったと判断したときに、追い焚き循環通路１１内の水の凍結は回避されたと判断して循環ポンプ凍結防止駆動制御部３６に循環ポンプ８の停止指令を発し、循環ポンプ凍結防止駆動制御部３６は上記停止指令を受けて循環ポンプ８を停止する。
【００４１】
水無し判断部３５は、上記循環ポンプ凍結防止駆動制御部３６の動作情報を時々刻々と取り込み、この動作情報に基づき循環ポンプ凍結防止駆動制御部３６により循環ポンプ８の駆動が開始されたことを検知してから予め定めた時間（例えば、３分間）が経過したと内蔵のタイマ（図示せず）により検知しても、水流スイッチ２４により追い焚き循環通路１１の循環水流を検出することができなかったと判断したときには、水有りフラグが立っていることを確認して上記循環ポンプ凍結防止駆動制御部３６により上記凍結防止運転による循環ポンプ８の駆動が開始されたのにも拘らず、追い焚き循環通路１１の循環水流を検出することができなかったのは、水有り判断部３２により水有りフラグが立てられてから循環ポンプ８の駆動が開始されるまでの間に、浴槽６の湯水が多量に使用されたり、排水されて浴槽６内の水位が循環金具２７の配設位置よりも低くなって追い焚き循環通路１１内の湯水が無くなったからであると判断して、追い焚き循環通路１１内に湯水が無いことを示す水無し信号を出力してデータ格納部３７に立てられている水有りフラグを倒す。
【００４２】
湯張り制御部３０は前述した湯張り運転とほぼ同様な湯張り運転制御を行うが、この実施形態例において特徴的なことは、リモコン２６から湯張り開始指令を受けたときに、データ格納部３７に水有りフラグが立っているか否かを判断し、水有りフラグが立っていないと判断したときには、追い焚き循環通路１１内に湯水が無いと判断し、前述したような図３に示すフローチャートのステップ１０１，１０２の動作、つまり、循環ポンプ８と水流スイッチ２４を利用した追い焚き循環通路１１内の循環水流の有無判断動作を省略して、注湯動作（図３のステップ１０３）から湯張り運転を開始することである。
【００４３】
また、湯張り制御部３０は、データ格納部３７に水有りフラグが立っていると判断したときには、循環ポンプ８と水流スイッチ２４を利用した追い焚き循環通路１１内の循環水流の有無判断動作、つまり、図３のフローチャートのステップ１０１の動作から湯張り運転を開始する。上記水有り判断部３２により水有りフラグが立てられてから湯張り制御部３０により湯張り運転が開始されるまでの間に、浴槽６の湯水が大量に使用されたり、浴槽６の湯水が排水されて浴槽６の水位が循環金具２７よりも低くなり追い焚き循環通路１１から湯水が流れ出て追い焚き循環通路１１内の湯水が無くなる場合があり、この場合、水有りフラグが立っているのに追い焚き循環通路１１内に湯水が無いという事態が発生する。そのため、水有りフラグが立っている状態から湯張り制御部３０による湯張り運転を開始するときには、追い焚き循環通路１１内（浴槽６内）の湯水の有無を確認するために、前述したような循環ポンプ８と水流スイッチ２４を利用した追い焚き循環通路１１内の循環水流の有無判断動作から行う。
【００４４】
追い焚き制御部３３は前述したような追い焚き運転とほぼ同様な追い焚き運転制御を行うが、この実施形態例において特徴的なことは、リモコン２６から追い焚きの指令が発せられたときには、データ格納部３７に水有りフラグが立っているか否かを判断し、水有りフラグが立っていないときには、湯張り制御部３０に湯張り開始指令を発して湯張り運転を開始させて予め定められている浴槽設定水位まで湯張りを行わせた後に、循環ポンプ８を駆動させて風呂温度センサ２３により検出される風呂温度がリモコン２６に設定されている風呂設定温度よりも低いときには追い焚きを行って予め定められた風呂設定温度に沸き上げる構成を有したことである。この場合、水有りフラグが立っていないので、湯張り制御部３０は前記したように注湯動作から開始することになる。
【００４５】
また、追い焚き制御部３３は、追い焚きの指令が発せられた後の上記水有りフラグが立っているか否かの判断によって水有りフラグが立っていることを検知したときには、前述したように循環ポンプ８を駆動させ浴槽水を追い焚き循環通路１１を通して循環させると共に、風呂温度センサ２３により検出される風呂温度がリモコン２６に設定されている風呂設定温度よりも低いときには追い焚きバーナ１６を燃焼させて追い焚き熱交換器２の通水の追い焚きを行って風呂設定温度まで風呂温度を高める。
【００４６】
この実施形態例によれば、凍結防止機能作動条件が満たされたときに水有りフラグが立っているときにのみ、循環ポンプ凍結防止駆動制御部３６により循環ポンプ８の駆動が開始されるので、追い焚き循環通路１１内に水が無く追い焚き循環通路１１の滞留水の凍結の虞がないのに凍結防止運転により循環ポンプ８が駆動されるという無駄な循環ポンプ８の駆動を省くことができる。また、追い焚き循環通路１１内に水が無い状態で凍結防止運転により循環ポンプ８が駆動され循環ポンプ８が空運転してしまうのをほぼ回避することができる。
【００４７】
従来では、凍結防止機能作動条件が満たされる度に追い焚き循環通路１１内の滞留水の有無に拘らず循環ポンプ８が駆動されることから、例えば、冬季の夜間に、追い焚き循環通路１１内の滞留水が凍結する程度に気温が低下しているときには、追い焚き循環通路１１内の滞留水の有無に拘らず凍結防止運転による循環ポンプ８の駆動は短時間間隔で断続的に多数行われることになるが、夜間に、追い焚き循環通路１１内に滞留水が無い状態が継続される場合には、追い焚き循環通路１１内に滞留水が無いのに前記凍結防止機能作動条件が満たされる度に循環ポンプ８が駆動し循環ポンプ８は空運転してしまい、その空運転は一晩の間に多数行われることになる。このように、空運転が度重なると循環ポンプ８が故障し易くなるという問題が発生する。
【００４８】
これに対して、この実施形態例では、上記の如く循環ポンプ８の空運転をほぼ回避することができるので、空運転が度重なり循環ポンプ８が故障し易くなるという問題を回避することができる。
【００４９】
また、水有りフラグが立っていない状態で、つまり、追い焚き循環通路１１内に湯水が無いと判断された後に湯張り制御部３０により湯張り運転が開始されるときには、循環ポンプ８と水流スイッチ２４を利用した追い焚き循環通路１１内の循環水流の有無判断動作を省略し注湯動作から開始するので、湯張り運転の開始時に循環ポンプ８が空運転をすることを回避することができ、循環ポンプ８の空運転に起因した上記循環ポンプ８の故障の問題をより一層回避することができる。さらに、上記の如く、水有りフラグが立っていないときには、循環ポンプ８と水流スイッチ２４を利用した追い焚き循環通路１１内の湯水の有無判断動作を省略し注湯動作から湯張り運転を開始するので、上記追い焚き循環通路１１内の循環水流の有無判断動作を省略した分、浴槽設定水位まで湯を張るのに要する時間の短縮を図ることができる。
【００５０】
さらに、水有りフラグが立っていることを確認して凍結防止運転による循環ポンプ８の駆動を開始したのにも拘らず、循環ポンプ８の駆動による追い焚き循環通路１１の循環水流を検出することができなかったときには、このことによって、水有りフラグが立てられてから凍結防止運転により循環ポンプ８が駆動されるまでの間に浴槽水の排水等により追い焚き循環通路１１内の湯水が無くなってしまったことを検知することができ、このように、追い焚き循環通路１１に水が無いことを検知したときに、水無し判断部３５により水有りフラグが倒されることから、それ以降、湯張り運転等によって浴槽６内に湯水が張られて追い焚き循環通路１１内に湯水が満たされるまで、凍結防止運転による循環ポンプ８の駆動を停止させることができ、上記したような循環ポンプ８の無駄な空運転が繰り返されるのを防止することができる。
【００５１】
なお、この発明は上記実施形態例に限定されるものではなく、様々な実施の形態を採り得る。例えば、フラグを立てる水有り条件として、例えば、湯張り運転以外に湯張り制御弁１３を開弁して給湯熱交換器１により加熱された湯又は給湯熱交換器１により加熱されていない水を湯張り制御弁１３を通して追い焚き循環通路１１に流れ込ませる注湯（注水）運転を行う機能を備えている場合には、上記注湯（注水）運転により湯張り制御弁１３が開弁されて湯張り制御弁１３を通して追い焚き循環通路１１に上記追い焚き循環通路湯水充填量以上の湯又は水が流れ込んだという条件をフラグを立てる水有り条件として与えておいてもよい。
【００５２】
また、上記実施形態例では、水有り判断部３２は、湯張り制御弁１３の開弁中に湯張り制御弁１３を通って追い焚き循環通路１１に流れ込んだ注湯量を注湯量検出部３１により検出し、この検出注湯量が前記追い焚き循環通路湯水充填量以上であるときに水有り条件を満たしたと検知し、つまり、追い焚き循環通路１１内に湯水が有ると判断して水有り信号を出力し水有りフラグを立っていたが、湯張り制御弁１３を開弁してから上記追い焚き循環通路湯水充填量を給湯熱交換器１から追い焚き循環通路１１に流れ込ませるのに要する時間を実験や演算等により予め求め、この求めた時間を循環通路湯水充填時間として与えておき、水有り判断部３２は湯張り制御弁１３が開弁してからの開弁時間が上記循環通路湯水充填時間以上となったときには追い焚き循環通路１１内に湯水が有ると判断して、水有り信号を出力し水有りフラグを立てるようにしてもよい。
【００５３】
さらに、上記実施形態例では、風呂温度センサ２３により検出される温度が設定の滞留水下限温度以下であり、かつ、外気温センサ２８により検出される温度が設定の外気下限温度以下であることを凍結防止機能作動条件としていたが、凍結防止機能作動条件は、上記以外の条件を凍結防止機能作動条件としてもよく、例えば、外気温センサ２８により検出された外気温が設定の外気下限温度以下であることのみを凍結防止機能作動条件としてもよいし、風呂温度センサ２３により検出される温度が設定の滞留水下限温度以下であることのみを凍結防止機能作動条件としてもよい。
【００５４】
さらに、上記実施形態例では、図２に示す給湯機能付き風呂装置を例にして説明したが、図２に示す給湯機能付き風呂装置以外の凍結防止機能を備えた風呂装置にもこの発明は適用することができる。例えば、上記図２に示す給湯機能付き風呂装置は、給湯熱交換器１と追い焚き熱交換器２にそれぞれ対応する別個のバーナ１５，１６が設けられている二缶二水路タイプのものであったが、給湯熱交換器１と追い焚き熱交換器２が一体的に形成され、該一体化した熱交換器１，２を共通に燃焼加熱するバーナが設けられている一缶二水路タイプのものにもこの発明は適用することができる。
【００５６】
さらに、図２に示す風呂装置の例では、給湯熱交換器１と給湯バーナ１５により給湯熱源器が、また、追い焚き熱交換器２と追い焚きバーナ１６により追い焚き熱源器がそれぞれ形成されていたが、上記給湯熱源器、追い焚き熱源器はそれぞれ電気ヒータ等により構成してもよい。
【００５７】
【発明の効果】
この発明によれば、予め定めた追い焚き循環通路内の水有り条件を満たしたことを検知したときに追い焚き循環通路内に湯水が有ることを示す水有りフラグを立てる水有り判断部と、循環ポンプの停止中に凍結防止機能作動条件を満たしたときには上記水有りフラグが立っているときにのみ循環ポンプを駆動する循環ポンプ凍結防止駆動制御部とが設けられているので、水有り判断部により追い焚き循環通路内に湯水が有ると判断された以降に凍結防止機能作動条件を満たしたときにのみ凍結防止運転による循環ポンプの駆動を開始することになり、追い焚き循環通路内に湯水が無く追い焚き循環通路内の滞留水の凍結の虞がないのに循環ポンプを駆動するという無駄な循環ポンプの駆動を省くことができる。
【００５８】
また、追い焚き循環通路に滞留水が無いのに凍結防止運転により循環ポンプが駆動されて循環ポンプが空運転してしまうのをほぼ回避することができる。このように、凍結防止運転による循環ポンプの空運転を回避することができるので、循環ポンプの空運転が度重なることにより循環ポンプが故障し易くなるという問題を殆ど防止することが可能となる。
【００５９】
さらに、水有りフラグが立っていることを確認して凍結防止運転による循環ポンプの駆動を開始したのにも拘らず、循環ポンプの駆動による追い焚き循環通路の循環水流を循環水流検出手段により検出することができなかったときには上記水有りフラグを倒す水無し判断部が設けられているので、水無し判断部により水有りフラグが倒された以降、水有り判断部により水有りフラグが立てられるまで、凍結防止運転による循環ポンプの駆動を行わせないことができ、凍結防止運転による循環ポンプの無駄な空運転が繰り返されるのを回避することができる。
【００６０】
湯張り開始指令が発せられたときに水有りフラグが立っていないときには循環ポンプと循環水流検出手段を利用した追い焚き循環通路内の循環水流の有無の判断動作を行わずに、給湯熱源器により加熱された湯を湯張り通路から浴槽に落とし込む湯張り制御部を備えたものにあっては、上記追い焚き循環通路の循環水流の有無判断を省略した分、予め定められた浴槽設定水位までに湯を張るのに要する時間の短縮を図ることができる。
【図面の簡単な説明】
【図１】この発明に係る実施形態例において特徴的な制御構成を示すブロック図である。
【図２】給湯機能付き風呂装置の一例を示すモデル図である。
【図３】湯張り運転制御の動作の一例を示すフローチャートである。
【符号の説明】
１  給湯熱交換器
２  追い焚き熱交換器
４  給湯通路
６  浴槽
８  循環ポンプ
１１  追い焚き循環通路
１２  注湯通路
１５  給湯バーナ
１６  追い焚きバーナ
２４  水流スイッチ
３０  湯張り制御部
３２  水有り判断部
３３  追い焚き制御部
３４  凍結防止運転制御部
３５  水無し判断部
３６  循環ポンプ凍結防止駆動制御部
【図１】
0003810191.tif 000002
【図２】
0003810191.tif 000003
【図３】
0003810191.tif 000004